(57)【要約】      （修正有）【課題】異なるアクセスネットワーク間で通話セッションを移行するために、局によって実施される方法を提供する【解決手段】第１局により、第１無線アクセスネットワーク（ＲＡＮ）上の音声通話に参加するための招待を、第２局に送信するステップと、第２局により、招待を受信するステップと、第２局により、招待に対する応答を生成するステップと、第２局により、この応答を第１局に送信できないことを判定するステップと、第２局により第２ＲＡＮと関連づけるステップと、第２局により、第２局が第２ＲＡＮに関連づけられていることを示すメッセージを生成するステップと、第２局により、このメッセージを第１局に送信するステップと、第１局により、音声通話に参加するための招待を再送信するステップと、第２局により、第２ＲＡＮ上で招待を受信するステップと、第１局と第２局との間で音声通話をセットアップするステップとを、含む。【選択図】なし【特許請求の範囲】
【請求項１】
方法であって、
第１局により、第１無線アクセスネットワーク（第１ＲＡＮ）上の音声通話に参加するための招待を、第２局に送信するステップと、
前記第２局により、前記招待を受信するステップと、
前記第２局により、前記招待に対する応答を生成するステップと、
前記第２局により、前記応答を前記第１局へ送信することに成功しないことを判定するステップと、
前記第２局により、第２ＲＡＮに関連づけるステップと、
前記第２局により、前記第２局が前記第２ＲＡＮに関連づけられていることを示すメッセージを生成するステップと、
前記第２局により、前記メッセージを前記第１局に送信するステップと、
前記第１局により、前記音声通話に参加するための前記招待を再送信するステップと、
前記第２局により、前記招待を前記第２ＲＡＮ上で受信するステップと、
前記第１局と前記第２局との間で前記音声通話をセットアップするステップと、
を含む方法。
【請求項２】
前記第１局は、前記第１ＲＡＮ若しくは前記第２ＲＡＮの１つを用いて前記音声通話に参加し、前記第２局は前記第２ＲＡＮを用いて前記音声通話に参加する、請求項１に記載の方法。
【請求項３】
前記第１ＲＡＮは、ロング・ターム・エボリューション無線アクセスネットワーク（ＬＴＥ−ＲＡＮ）、又は、ＷｉＦｉネットワークのうちの１つである、請求項１に記載の方法。
【請求項４】
前記第２ＲＡＮは、音声通話を回線交換呼として実行する、請求項１に記載の方法。
【請求項５】
方法であって、
第１局にて、
音声通話のセットアップ手順に関する招待を第２局から受信するステップであって、前記第１局は、ロング・ターム・エボリューション無線アクセスネットワーク（ＬＴＥ−ＲＡＮ）に接続され、前記第１局は、Ｖｏｉｃｅ  ｏｖｅｒ  ＬＴＥ（ＶｏＬＴＥ）を用いて前記音声通話を実行するよう構成される、受信するステップと、
前記第１局が、前記ＬＴＥ−ＲＡＮを用いて前記招待に対する応答を前記第２局に送信できないことを判定するステップと、
前記第１局をレガシーＲＡＮに接続するステップであって、前記レガシーＲＡＮは回線交換呼として音声通話を実行する、接続ステップと、
前記レガシーＲＡＮへの接続時に切り替えメッセージを生成するステップであって、前記切り替えメッセージは、前記第１局が前記レガシーＲＡＮに関連づけられていることを示す表示を含む、生成するステップと、
前記切り替えメッセージを前記第２局に送信するステップと、
前記第２局から音声通話のセットアップ手順に関する前記招待を受信するステップであって、前記セットアップ手順は、前記レガシーＲＡＮに従って実行される、受信するステップと、
前記レガシーＲＡＮを介して前記第２局との前記音声通話を実行するステップと、
を含む方法。
【請求項６】
前記切り替えメッセージは、前記第１局が前記ＬＴＥ−ＲＡＮから前記レガシーＲＡＮに切り替えたことを示す表示を含む、請求項５に記載の方法。
【請求項７】
前記レガシーＲＡＮは、２Ｇ  ＲＡＮと３Ｇ  ＲＡＮのうちの１つである、請求項５に記載の方法。
【請求項８】
前記第１局が応答を送信できないことを判定する前記ステップは、
前記招待の受信時にプリセット・タイマーを起動するステップと、
前記プリセット・タイマーが、応答の送信に成功しないで終了した場合、前記第１局は、前記応答を送信できないと判定するステップと、
を含む、請求項５に記載の方法。
【請求項９】
前記第１局が応答を送信できないことを判定する前記ステップは、
アップリンク制限状況、及び、無線リンク障害イベントを判定するステップを含む、請求項５に記載の方法。
【請求項１０】
前記切り替えメッセージは、前記レガシーＲＡＮのショート・メッセージ・サービス（ＳＭＳ）を介して送られる、請求項５に記載の方法。
【請求項１１】
方法であって、
第１局にて、
音声通話のセットアップ手順に関する招待を第２局に送信するステップであって、前記第１局は、ロング・ターム・エボリューション無線アクセスネットワーク（ＬＴＥ−ＲＡＮ）へと接続され、前記第１局は、Ｖｏｉｃｅ  ｏｖｅｒ  ＬＴＥ（ＶｏＬＴＥ）を用いて前記音声通話を実行するよう構成される、送信するステップと、
切り替えメッセージを前記第２局から受信するステップであって、前記切り替えメッセージは、前記第２局がレガシーＲＡＮに関連づけられていることを示す表示を含み、前記レガシーＲＡＮは、音声通話を回線交換呼として実行する、受信するステップと、
前記招待を前記第２局に再送信するステップと、
前記音声通話の前記セットアップ手順を実行するステップと、
前記第２局との前記音声通話を実行するステップと、
を含む方法。
【請求項１２】
前記第１局は、前記音声通話の実行のために、前記ＬＴＥ−ＲＡＮに接続したままとするべきか、又は、前記音声通話の実行のために、前記レガシーＲＡＮに接続するべきかを判定するステップを更に含む、請求項１１に記載の方法。
【請求項１３】
前記レガシーＲＡＮを介して前記音声通話を実行するべきであると判定された場合、前記レガシーＲＡＮに接続するステップを更に含む、請求項１１に記載の方法。
【請求項１４】
前記第１局が前記ＬＴＥ−ＲＡＮに接続したままにするべきであると判定された場合、前記音声通話を、前記第１局によりＶｏＬＴＥ通話として実行する、請求項１２に記載の方法。
【請求項１５】
前記第１局が前記ＬＴＥ−ＲＡＮに接続する場合、前記招待は、セッション開始プロトコル（ＳＩＰ）招待である、請求項１１に記載の方法。
【請求項１６】
前記招待を再送信する前記ステップは、ユーザとの対話処理なしに実施される、請求項１１に記載の方法。
【請求項１７】
前記レガシーＲＡＮは、２Ｇネットワークと３Ｇネットワークのうちの１つである、請求項１１に記載の方法。
【請求項１８】
前記切り替えメッセージは、前記第２局が前記招待を受信したことを示す表示を更に含む、請求項１１に記載の方法。
【請求項１９】
前記招待を再送信する前記ステップは、前記レガシーＲＡＮ上で前記第２局をページングせずに実施される、請求項１１に記載の方法。
【発明の詳細な説明】
【技術分野】
【０００１】
第１局は、第２局と無線通信するよう構成可能である。具体的には、第１局は、無線通信ネットワークを介して第２局にデータを送信し、第２局からデータを受信できる。第１及び第２局は、このネットワークにより、様々なアプリケーションを使って通信可能である。例えば、第１局は、音声通話用のモバイル発信（ＭＯ（ｍｏｂｉｌｅ  ｏｒｉｇｉｎａｔｉｏｎ））局で良く、第２局は、モバイル宛先（ＭＴ（ｍｏｂｉｌｅ  ｔｅｒｍｉｎａｔｉｎｇ））局で良い。音声通話は、種々の異なる方法で実行できる。例として、ＭＯ局、又は、ＭＴ局が２Ｇ、又は、３Ｇネットワークに接続する場合、回線交換音声通話を用いて、音声通話を実行できる。別の例として、ＭＯ局、又は、ＭＴ局が、ロング・ターム・エボリューション（ＬＴＥ）ネットワークに接続する場合、音声通話は、Ｖｏｉｃｅ  ｏｖｅｒ  ＬＴＥ（ＶｏＬＴＥ）通話を用いて実行できる。
【背景技術】
【０００２】
ＶｏＬＴＥ通話を行う場合、ＭＯ局及びＭＴ局は、初期セットアップ手順を実行可能である。初期セットアップ手順では、ＭＯ局は、ＶｏＬＴＥ通話に参加するための招待（ｉｎｖｉｔａｔｉｏｎ）をＭＴ局に送信できる。ＶｏＬＴＥ通話として、この招待は、ＬＴＥネットワークを介して送られる。ＭＴ局も、またＬＴＥネットワークを介して、招待を受信し応答を提供可能である。だが、ＭＴ局が招待に応答不可能となる様々な理由が存在することがある。例えば、ＭＴ局は、ＭＯ局からの着呼があることを認識できるが、ＬＴＥネットワークを介して招待に対する応答を提供することができない。このような状況では、特に、ＭＴ局の利用者が、その指示を受信し、その招待（例えば、プロンプト）に対して手動で応答する場合があるので、通話が確立できなくなり、エンドユーザエクスペリエンスが極めて悪い。その上、ＭＴ局がＬＴＥネットワークを介して応答を送信できるようになるまでは、新たにＶｏＬＴＥ通話を試みても、失敗し続ける恐れもある。
【図面の簡単な説明】
【０００３】
【図１】局が音声通話を実行するための例示的なネットワーク構成を示す図である。
【図２】音声通話を実行するよう構成された例示的な局を示す図である。
【図３】通話セッションを第１ネットワークから第２ネットワークへと移行するためのネットワーク選択を実行する第１の例示的シグナリング図を示す図である。
【図４】通話セッションを第１ネットワークから第２ネットワークへと移行するためのネットワーク選択を実行する第２の例示的シグナリング図を示す図である。
【図５】モバイル宛先局により第１、又は、第２ネットワークを介して音声通話を実行するための第１の例示的方法を示す図である。
【図６】モバイル発信局により第１、又は、第２ネットワークを介して音声通話を実行するための第２の例示的方法を示す図である。
【発明を実施するための形態】
【０００４】
例示的実施形態では、２つの局により実施される方法について説明する。この方法は、第１局により、第１無線アクセスネットワーク（ＲＡＮ）上の音声通話に参加するための招待を第２局に送信するステップと、第２局により、この招待を受信するステップと、第２局により、招待に対する応答を生成するステップと、第２局により、応答を第１局に送信できないことを判定するステップと、第２局により、第２ＲＡＮと関連づけるステップと、第２局により、第２局が第２ＲＡＮと関連づけられていることを示すメッセージを生成するステップと、第２局により、このメッセージを第１局へと送信するステップと、第１局により、音声通話に参加するための招待を再送信するステップと、第２局により、第２ＲＡＮ上で招待を受信するステップと、第１局と第２局との間で音声通話をセットアップするステップとを、含む。
【０００５】
更に、例示的実施形態は、第１局によって実行される方法についても述べており、この方法は、第２局から音声通話のセットアップ手順に関する招待を受信するステップであって、第１局は、ロング・ターム・エボリューション無線アクセスネットワーク（ＬＴＥ−ＲＡＮ）へと接続し、この第１局は、Ｖｏｉｃｅ  ｏｖｅｒ  ＬＴＥ（ＶｏＬＴＥ）を用いて音声通話を実行するよう構成される、受信するステップと、第１局がＬＴＥ−ＲＡＮを用いて招待に対する応答を第２局に送信できないことを判定するステップと、第１局をレガシーＲＡＮに接続するステップであって、このレガシーＲＡＮは回線交換呼として音声通話を実行する、接続するステップと、レガシーＲＡＮへの接続時に切り替えメッセージを生成するステップであって、この切り替えメッセージは、第１局がレガシーＲＡＮに関連づけられていることを示す表示を含む、生成するステップと、切り替えメッセージを第２局に送信するステップと、第２局から音声通話のセットアップ手順に関する招待を受信するステップであって、このセットアップ手順は、レガシーＲＡＮに従って実行される、受信するステップと、レガシーＲＡＮを介して、第２局との音声通話を実行するステップとを、含む。
【０００６】
更に、例示的実施形態は、第１局によって実行される方法についても述べており、この方法は、音声通話のセットアップ手順に関する招待を第２局へ送信するステップであって、第１局は、ロング・ターム・エボリューション無線アクセスネットワーク（ＬＴＥ−ＲＡＮ）へと接続し、この第１局は、Ｖｏｉｃｅ  ｏｖｅｒ  ＬＴＥ（ＶｏＬＴＥ）を用いて音声通話を実行するよう構成される、送信するステップと、第２局から切り替えメッセージを受信するステップであって、この切り替えメッセージは、第２局がレガシーＲＡＮに関連づけられることを示す表示を含み、レガシーＲＡＮは、回線交換呼として音声通話を実行する、受信するステップと、招待を第２局に再送信するステップと、音声通話のセットアップ手順を実行するステップと、第２局により音声通話を実行するステップとを、含む。
【０００７】
例示的実施形態は、以下の説明、及び、関連する添付図面を参照することでより理解でき、同様の要素には、同一の参照符号が付与されている。例示的実施形態は、通話セッションを移行するためのネットワーク選択用のシステムと方法に関する。具体的には、移行は、音声通話を確立するための音声通話用のセットアップ手順に関連する。より具体的には、モバイル発信（ＭＯ）局は、モバイル宛先（ＭＴ）局をＭＯ局及びＭＴ局が共にロング・ターム・エボリューション無線アクセスネットワーク（ＬＴＥ−ＲＡＮ）へと接続する音声通話に招待することが可能である。ＭＯ局及びＭＴ局は、Ｖｏｉｃｅ  ｏｖｅｒ  ＬＴＥ（ＶｏＬＴＥ）通話セッションで音声通話を実行できる。したがって、データパケットは、音声通話を確立するセットアップ手順中に、ＬＴＥ−ＲＡＮを介してＭＯ局及びＭＴ局との間で送信される。ＭＴ局が、ＬＴＥ−ＲＡＮを介して音声通話の招待に対する応答を送信できなければ、ＭＴ局は、レガシー無線アクセスネットワーク（ＲＡＮ）（例えば、２Ｇネットワーク、３Ｇネットワーク等）のようなより信頼性の高い可能性のある別のネットワークが選択されるべきであることを示すメッセージをＭＯ局に提供できる。
【０００８】
図１は、ＭＯ局１０５がＭＴ局１１０との音声通話を実行するための例示的なネットワーク構成１００を示す。具体的には、ＭＯ局１０５は、音声通話を実行するために、ＭＴ局１１０と無線通信できる。このネットワーク構成１００には、ＬＴＥ−ＲＡＮ１１５、レガシーＲＡＮ１２０、並びに、セルラーコアネットワーク１２５等を含められる。例示的実施形態によると、ＭＯ局１０５とＭＴ局１１０は、ＬＴＥ−ＲＡＮ  １１５とレガシーＲＡＮ１２０の双方を利用できる。前述のように、音声通話に関する場合、ＬＴＥ−ＲＡＮ１１５は、略完全にＩＰをベースとするネットワーク規格であり、レガシーＲＡＮ１２０は、専用通信チャンネルを介して回線交換プロトコルを使用できる。ＬＴＥ−ＲＡＮやレガシーＲＡＮ（例えば、２Ｇ、又は、３Ｇネットワーク）に関して、例示的実施形態について述べるが、ネットワークがこれらの正確な種類のネットワークとすることは要求されない。例えば、第１ネットワークは、任意の種類のパケット交換、又は、ＩＰをベースとするネットワークが可能であり、レガシーＲＡＮは、任意の種類の回線交換ネットワークで良い。例として、ネットワーク１１５、１２０のいずれかは、ＩＥＥＥ  ８０２．１１  ａ／ｂ／ｇ／ｎ／ａｃの下で規定される等のＷｉＦｉ（登録商標）ネットワークで良い。更に、ＷｉＦｉネットワークは個人用ＷｉＦｉネットワーク、家庭用ＷｉＦｉネットワーク、企業用ＷｉＦｉネットワーク、ホットスポットのようなあらゆる種類のＷｉＦｉネットワークに相当する。場合によっては、ＷｉＦｉネットワークは、無線ローカル・エリア・ネットワーク（ＷＬＡＮ）と呼ぶこともある。また、ネットワーク１１５、１２０は、ＷＬＡＮと呼ばれる任意のネットワークも含められる。したがって、例示的実施形態において、ＭＯ局１０５とＭＴ局１１５がＬＴＥ−ＲＡＮ１１５、又は、レガシーＲＡＮ１２０に接続するものとして説明する場合、ＭＯ局１０５とＭＴ局１１０は、代わりとして、ＷｉＦｉネットワークに接続できる。
【０００９】
ＭＯ局１０５とＭＴ局１１０は、音声通話を実行する任意の電子装置であってよい。ＭＯ局１０５とＭＴ局１１０は、ＬＴＥ−ＲＡＮ１１５への接続時にＶｏＬＴＥ通話を実行するのに必要とされるハードウェアとソフトウェア構成を備えるものと、考えることができる。音声通話は、種々の異なるアプリケーションを用いて、ＭＯ局１０５とＭＴ局１１０との間で確立可能である。ＭＯ局、又は、ＭＴ局がレガシーＲＡＮ  １２０に接続する際、局１０５、１１０は、回線交換音声通話を用いて、音声通話に参加できる。音声送信に関して、レガシーＲＡＮ１２０は、主に専用通信チャンネルを使って、音声通話を実行するが、これは、必須要件ではない。
【００１０】
ＶｏＬＴＥ通話は、ＬＴＥ−ＲＡＮ１１５を介したデータフローとしての音声サービス配信に関連する。ＶｏＬＴＥ通話は、レガシーネットワーク（例えば、レガシーＲＡＮ  １２０）で使用される専用通信チャンネルを必要とせずに、略完全にインターネット・プロトコル（ＩＰ）に基づくネットワークとして実施可能である。それ故、初期セットアップ手順で使用される情報、及び、ＶｏＬＴＥ通話中に使用される全ての音声情報は、ＬＴＥ−ＲＡＮ１１５を介して、データパケットとして送信される。
【００１１】
ＶｏＬＴＥ通話は、ＬＴＥ−ＲＡＮ１１５のプロバイダーのセルラーコアネットワーク１２５に関連づけられるＩＰマルチメディア・サブシステム（ＩＭＳ）１３０を使用できる。ＩＭＳ１３０によって、一般的なＩＰインターフェースを用いたマルチメディア・アクセスが可能となる。ＩＭＳ１３０により、種々のプロトコルを介して接続を確立できる。具体的には、ＩＭＳ１３０を用いて、ＶｏＬＴＥ通話は、回線交換音声ネットワークと相互運用できる。例えば、ＭＯ局１０５がＬＴＥ−ＲＡＮ１１５へと接続し、レガシーＲＡＮ１２０に接続したＭＴ局１１０への通話を開始した場合、ＩＭＳ１３０を用いて、異なるネットワーク間の通話を相互接続する。更に、回線交換ネットワークが利用できない場合であっても、ＩＭＳ１３０のＩＰインターフェースによって、ＶｏＬＴＥ通話は他の音声ネットワーク技術と相互運用できる。したがって、音声通話を実施するために、ＭＯ局１０５は、ＬＴＥ−ＲＡＮ１１５に接続できるが、ＭＴ局１１０がＬＴＥ−ＲＡＮ１１５に接続されている必要はなく、その逆もまた真である。それ故、ＭＯ局１０５とＭＴ局１１０が共にＬＴＥ−ＲＡＮ１１５に接続する場合、ＶｏＬＴＥ通話は、両局１０５、１１０によって実施できる。ＭＯ局１０５のみがＬＴＥ−ＲＡＮ１１５に接続する際には（又は、ＬＴＥ−ＲＡＮ１１５のアップリンクとダウンリンクの双方の伝送を使用できる）、ＭＯ局１０５は、ＶｏＬＴＥ通話を実施できる。だが、ＭＴ局１１０が回線交換音声通話を実行するようには、ＭＴ局１１０はＬＴＥ−ＲＡＮ１１５に接続できない。このようにして、ＭＯ局１０５とＭＴ局１１０との間の音声通話は、ＩＭＳ１３０を介して依然として確立される。
【００１２】
ＭＯ局１０５とＭＴ局１１０との間で音声通話を確立する場合、レガシーＲＡＮ１２０は、このレガシーＲＡＮ１２０が提供するカバレッジエリアを考慮に入れる際に、ＬＴＥ−ＲＡＮ１１５よりも信頼性がより高いと考えることができる。例えば、局には、ＶｏＬＴＥ通話への招待に対する応答を送信するのに十分なアップリンク送信電力はないが、レガシーＲＡＮ１２０からの呼に応答するのに十分なアップリンク送信電力がある場合がある。しかし、当業者であれば、見込みデータ伝送率を考慮する際、レガシーＲＡＮ１２０よりも、ＬＴＥ−ＲＡＮ１１５の方を優先する場合があることは理解しているであろう。
【００１３】
ＭＯ局１０５とＭＴ局１１０が共にＬＴＥ−ＲＡＮ１１５へと接続し、ＬＴＥ−ＲＡＮ１１５への接続時にＶｏｉｃｅ  ｏｖｅｒ  ＩＭＳ１３０へ登録されると、ＭＯ局１０５とＭＴ局１１５は共に、ＬＴＥ−ＲＡＮ１１５を介してデータと音声を同時に保有し、これにより、ＶｏＬＴＥ通話を実行するオプションを局１０５、１１０に提供する。ＭＯ局１０５とＭＴ局１１０が共にＬＴＥ−ＲＡＮ１１５を利用できる場合、ユーザ視点とネットワーク視点からの様々な理由によって、ＶｏＬＴＥ通話は、回線交換音声通話よりも望ましくなることがある。実際、局がＬＴＥ−ＲＡＮ１１５に接続する場合、常にＶｏＬＴＥ通話を用いて音声通話に参加するよう、局を構成できる。だが、局の１つがＬＴＥ−ＲＡＮ１１５を使用できない種々の状況が存在する可能性がある。例えば、ＭＴ局１１０は、ＶｏＬＴＥ通話のセットアップ手順中に、ＬＴＥ−ＲＡＮ１１５においてアップリンク送信を使用できずに、音声通話が確立できなくなる場合がある。別の例では、局がＩＭＳ１３０に登録されていなければ、この局は、データ伝送に関しては、ＬＴＥ−ＲＡＮ１１５へと依存し、更に、音声通話に関しては、レガシーＲＡＮ１２０へと依存する場合がある。
【００１４】
例示的実施形態は、ＭＯ局１０５とＭＴ局１１０との間で音声通話を確立するために、レガシーＲＡＮ１２０ネットワークへの通話セッションの円滑な移行方式を提供する。具体的には、ＭＴ局１１０がＶｏＬＴＥ通話の招待に応答できない場合、ＭＴ局１１０は、このＭＴ局１１０がＬＴＥ−ＲＡＮ１１５を利用できないことを示す切り替えメッセージをＭＯ局１０５へと提供できる。更に、この切り替えメッセージは、ＭＴ局１１０が音声通話用にレガシーＲＡＮ１２０を使用することを意図していることを、局１０５に示すことが可能である。ＭＯ局１０５は、ＭＴ局１１０からの切り替えメッセージの受信時に、確立すべき音声通話用の異なる操作を実行できる。
【００１５】
図２は、ＶｏＬＴＥ通話、又は、回線交換音声通話を用いて音声通話を実行するよう構成された例示的な局２００を示す。具体的には、局２００は、ＭＯ局１０５やＭＴ局１１０等の電子装置に相当可能である。局２００は、携帯型装置（例えば、携帯電話、スマートフォン、タブレット、ファブレット、ラップトップ等）、又は、固定装置（例えば、デスクトップ・コンピュータ）のようなネットワークに参加するよう構成された任意の電子構成要素で良い。局２００は、プロセッサ２０５、メモリー構成２１０、ディスプレイ装置２１５、入出力（Ｉ／Ｏ）装置２２０、トランシーバ２２５、及び、他の構成要素２３０、例えば、携帯型電源やオーディオＩ／Ｏ装置等を含むことができる。
【００１６】
プロセッサ２０５は、局２００の複数のアプリケーションを実行するよう構成することができる。プロセッサ２０５は、アプリケーション・プロセッサ、ベースバンド・プロセッサ、又は、これらの組み合わせで良い。アプリケーションには、トランシーバ２２５を介してＬＴＥ−ＲＡＮ１１５、又は、レガシーＲＡＮ１２０に接続する際のウェブブラウザーを含むことができる。ウェブブラウザーは、データ関連アプリケーションを代表することができる。
【００１７】
別の例では、アプリケーションは、通話アプリケーション２３５を含むことがある。通話アプリケーション２３５は、局２００向けの音声通話を実行する音声関連アプリケーションに相当しうる。局２００がＭＯ局１０５の場合、通話アプリケーション２３５によって、音声通話用の招待を生成できる。局２００がＭＴ局１１０であれば、通話アプリケーション２３５は、音声通話用の招待を受信できる。そして、通話アプリケーション２３５は、招待に対する応答を生成できる。音声通話用のこのセットアップ手順を用いて、ＭＯ局１０５とＭＴ局１１０との間の音声通話を確立できる。音声通話が確立された場合、通話アプリケーション２３５は、音声通話中の音声情報の送信と受信に関連する機能を実行できる。例えば、オーディオＩ／Ｏ装置は、ユーザから生音声を受信して、この生音声をデータパケットに変換し、トランシーバ２２５を介してネットワークに送信できる。ある特定の例として、音声通話がＶｏＬＴＥ通話の場合、ＬＴＥ−ＲＡＮ１１５を介して、音声データバケットを送信できる。
【００１８】
更に、通話アプリケーション２３５は、局２００が実行するべき音声通話の種類を決定できる。例えば、局２００がＬＴＥ−ＲＡＮ１１５に接続する場合、音声通話は、ＶｏＬＴＥ通話で良い。別の例として、局２００がレガシーＲＡＮ１２０に接続するのみの場合、音声通話は、回線交換音声通話が可能である。注意すべき点として、ＬＴＥ−ＲＡＮ１１５への接続時にＶｏＬＴＥ通話を常に実行するよう、通話アプリケーション２３５を構成できる。だが、以下でより詳細に説明するように、例示的実施形態では、局２００がＬＴＥ−ＲＡＮ１１５に接続する場合であっても、レガシーＲＡＮ１２０を使用する方式を提供している。
【００１９】
更なる例として、例示的実施形態によれば、アプリケーションは、ネットワーク選択アプリケーション２４０を含むことができる。以下でより詳細に説明するように、局２００が音声通話を確立できない状況にある場合、ネットワーク選択アプリケーション２４０は、通話セッションの移行を実行できる。具体的には、局２００（ＭＴ局１１０として）が、ＶｏＬＴＥ通話で音声通話に対する招待に応答できない場合、ネットワーク選択アプリケーション２４０は、レガシーＲＡＮ１２０を用いて、音声通話を確立できる。更に、ネットワーク選択アプリケーション２４０は、ＭＴ局１１０がレガシーＲＡＮ１２０の使用中にあることを示す、ＭＯ局１０５宛に送られるべき切り替えメッセージを、生成できる。
【００２０】
注意すべき点として、プロセッサ２０５によって実行されるアプリケーション（例えば、プログラム）である通話アプリケーション２３５とネットワーク選択アプリケーション２４０は、例示目的に過ぎない。また、アプリケーション２３５〜２４０は、局２００の別個に組み込まれた構成要素として表してもよく、又は、局２００に結合されたモジュール式の構成要素でも良い。
【００２１】
メモリー構成２１０は、局２００により実行される操作に関連するデータを記憶するように構成されたハードウェア構成要素で良い。例えば、メモリー構成２１０は、通話アプリケーション２３５に関連する発呼者データベースを記憶できる。この発呼者データベースは、例えば、指定人物に該当する局との音声通話中に通話アプリケーション２３５によって使用される関連連絡先情報を含む人物ディレクトリーであり得る。更に、メモリー構成２１０は、ＬＴＥ−ＲＡＮ１１５について測定されたネットワーク・パラメータのようなデータも記憶できる。ディスプレイ装置２１５は、データをユーザに表示するよう構成されたハードウェア構成要素で良く、Ｉ／Ｏ装置２２０は、入力をユーザから受信し、対応するデータを出力するよう構成されたハードウェア構成要素とすることができる。他の構成要素２３０には、携帯型電源（例えば、バッテリー）、データ取得装置、局２００を他の電子装置へと電気的に接続するポート等を含められる。
【００２２】
図３は、通話セッションをＬＴＥ−ＲＡＮ１１５からレガシーＲＡＮ１２０へと移行するためのネットワーク選択を実行する第１の例示的シグナリング図３００を示す。具体的には、このシグナリング図３００は、ＭＴ局１１０がレガシーＲＡＮ１２０に切り替わる最中にあることを示す切り替えメッセージをＭＴ局１１０から受信した後、ＭＯ局１０５は、ＬＴＥ−ＲＡＮ１１５に留まっている状況に関連する。
【００２３】
図示のように、ＭＯ局１０５は、セッション招待（ｓｅｓｓｉｏｎ  ｉｎｖｉｔｅ）３０５をＭＴ局１１０に送信できる。具体的には、ＭＯ局１０５が、音声通話をＶｏＬＴＥ通話として実行する（例えば、ＭＯ局１０５がＬＴＥ−ＲＡＮ１１５に接続する）場合、セッション招待３０５は、ＬＴＥ−ＲＡＮ１１５の構成要素（例えば、拡張ノードＢ（ｅＮＢ））に送信できる。通話がＶｏＬＴＥ通話であれば、セッション招待３１０は、セッション開始プロトコル（ＳＩＰ）招待（ｉｎｖｉｔｅ）で良い。ＭＯ局１０５とＭＴ局１１０が共にＬＴＥ−ＲＡＮ１１５へと接続してから、ＬＴＥ−ＲＡＮ１１５は、セッション招待３１０をＭＴ局１１０へと送る。当業者であれば、セッション招待３１０をＭＴ局１１０へ送信することを確実にするため、ＬＴＥ−ＲＡＮ１１５には、追加のシグナリングがあることを理解するであろう。だが、このシグナリング図３００は、シグナリング・プロセスの簡略化した概要に過ぎず、音声通話を完全に実行するために送られるそれぞれの信号、及び、全ての信号を示してはいない。
【００２４】
ＭＴ局１１０は、セッション招待３１０を受信できるように、ＬＴＥ−ＲＡＮ１１５に接続し、ＬＴＥ−ＲＡＮ１１５のダウンリンクの復号が可能である。ＭＴ局１１０は、セッション招待３１０を受信すると、ＭＯ局１０５の識別情報等のセッション招待３１０に含まれる種々のパラメータを判定できる。ある特定の例では、ＳＩＰ招待を受信すると、ＭＴ局１１０は、ＩＭＳ１３０についてページングされ、更に、無線リソース制御（ＲＲＣ）接続を確立することが可能とされてきた。ＭＴ局１１０は、セッション招待３１０に対するセッション応答３１５を生成して、音声通話を確立できる。この例では、セッション応答３１５はＬＴＥ−ＲＡＮ１１５に到達しないものと、考えられている。だが、完結した議論を提供するために、セッション応答３１５が、ＬＴＥ−ＲＡＮ１１５により受信されて、ＭＯ局１０５に送られると、ＶｏＬＴＥ通話は、ＭＯ局１０５とＭＴ局１１０との間でセットアップ可能である。
【００２５】
セッション応答３１５の生成の他、ＭＴ局１１０のネットワーク選択アプリケーション２４０は、セッション招待３１０の受信時に、タイマー３２０を起動できる。この第１例において、タイマー３２０は、連続的な「同期外れ（out of sync）」表示に関連する場合がある。この「同期外れ」表示については、以下でより詳細に説明する。第２例では、システムを過度に再選択しないよう、プリセット・タイマーを選択できる。したがって、このプリセット・タイマーは、ネットワーク選択アプリケーション２４０がネットワーク選択を実行すべき時を決定する閾値として使用可能である。プリセット・タイマーは、例えば、１秒から３秒までで良い。
【００２６】
タイマー３２０の期間中、ＭＴ局１１０の通話アプリケーション２３５は、セッション応答３１５を送信することで、セッション招待３１０への応答を試行できる。このセッション応答は、ＳＩＰ応答形式で良い。だが、図３で示すように、ＭＴ局１１０は、ＬＴＥ−ＲＡＮ１１５を使って、セッション応答３１５をＭＯ局１０５に送信することができない。ＭＴ局１１０がセッション応答３１５をＬＴＥ−ＲＡＮ１１５に提供不能となる数多くの状況が可能であり、その幾つかの例を、以下に示す。
【００２７】
第１の例では、ＭＴ局１１０は、ＬＴＥ−ＲＡＮ１１５において、アップリンク制限状況の可能性があるが、ＬＴＥ−ＲＡＮ１１５におけるダウンリンクの復号は、可能なままである。それ故、ＭＴ局１１０は、ＭＯ局１０５からＬＴＥ−ＲＡＮ１１５を介して送られたセッション招待３１０を受信できるが、応答は不可能である。アップリンク制限状況により、ＭＴ局１１０がセッション応答３１５を送信する場合があるが、このセッション応答３１５は、宛先、つまり、ＬＴＥ−ＲＡＮ１１５、又は、ＭＯ局１０５には、決して到達することはない。
【００２８】
第２例では、ＭＴ局１１０は、無線リンク障害（ＲＬＦ）イベントを判定する場合がある。このＲＬＦイベントは、物理（ＰＨＹ）層内の断絶であり得る。ＲＬＦイベントは、当業者であれば理解できる種々の異なる状況によって起こりうる。例えば、物理層から連続した回数の「同期外れ」表示（例えば，Ｎ３１０）が発生する可能性がある。この発生の所定時間後（例えば、Ｔ３１１）、ＲＬＦイベントは判定されることが可能である。別の例では、測定された参照信号受信電力（ＲＳＲＰ）、又は、測定された参照信号受信品質（ＲＳＲＱ）が規定閾値よりも低い場合、電力信号品質（例えば、低いＲＳＲＰ、又は、ＲＳＲＱ）によって、物理ダウンリンク制御チャンネル（ＰＤＣＣＨ）が復号に失敗した場合、電力信号品質等によって、物理ダウンリンク共有チャンネル（ＰＤＳＣＨ）が復号に失敗した場合において、ＲＬＦイベントは、局２００により発生したと推定される場合がある。更に別の例では、局２００からの信号対干渉雑音電力比（ＳＩＮＲ）がｅＮＢの設定よりも著しく低い場合、ｅＮＢが、ＰＤＳＣＨについて、局２００からの肯定応答（ＡＣＫ）若しくは否定応答（ＮＡＣＫ）を検知できない場合等において、ＲＬＦイベントは、ＬＴＥ−ＲＡＮ１１５の拡張ノードＢ（ｅＮＢ）によって発生したと推定されることもある。
【００２９】
タイマー３２０が終了したら、ネットワーク選択アプリケーション２４０は、ＭＴ局１１０が応答できないと判定する（３２５）。例えば、上記の状況がＭＴ局１１０に存在する場合（例えば、アップリング制限状況やＲＬＦイベント等）、ネットワーク選択アプリケーション２４０は、ＭＴ局１１０がＬＴＥ−ＲＡＮ１１５を介したＶｏＬＴＥ通話として音声通話を実行できないと判定できる。
【００３０】
この判定を実施したら、ＭＴ局１１０のネットワーク選択アプリケーション２４０は、ＬＴＥネットワーク１１５を介してレガシーＲＡＮ１２０を選択できる（３３０）。例えば、ネットワーク選択アプリケーション２４０は、レガシーＲＡＮ１２０を介して、回線交換音声通話を実行すべきであることを決定できる。このネットワーク選択アプリケーション２４０は、レガシーＲＡＮ１２０を介して、音声通話を実行するべきであることを、通話アプリケーション２３５に示すことができる。利用可能な場合はＬＴＥ−ＲＡＮ１１５を常に使用するよう、通話アプリケーション２３５が構成される場合、この指示は構成を上書きできる。更に、ネットワーク選択アプリケーション２４０は、通話アプリケーション２３５による音声通話での使用には、レガシーＲＡＮ１２０を選択するべきであるように、ＬＴＥ−ＲＡＮ１１５を利用できないことを前向きに示すことも可能である。こうすれば、ＬＴＥ−ＲＡＮ１１５を利用できる際にはＶｏＬＴＥ通話を使用するという構成に対して、違反することはない。ＭＴ局１１０は、レガシーＲＡＮ１２０の基地局に接続するための関連づけ機能を実行できる。この関連づけ機能は、本シグナリング図の中で示していないが、このネットワーク型のレガシーＲＡＮ１２０（例えば、３Ｇ、２Ｇ等）において使用される関連づけ手順とすべきであることを理解すべきである。
【００３１】
レガシーＲＡＮ１２０はアップリンク送信時の信頼性がより高くなる場合があるので（例えば、ＬＴＥ−ＲＡＮ１１５におけるアップリンク制限状況によって、ＳＩＰ応答に失敗した時）、ネットワーク選択アプリケーション２４０は、全てのアップリンク送信用にレガシーＲＡＮ１２０を使用できる。レガシーＲＡＮ１２０に移行することで、ＭＴ局１１０は、使用される通信規格に基づいていくつかの操作を実行できる。例えば、３ＧＰＰ２において、ＭＴ局１１０は、拡張高速パケット・データ（ｅＨＲＰＤ）（例えば、拡張音声データ最適化（１ｘＥＶ−ＤＯ））、及び、ｖｏｉｃｅ  ｏｖｅｒ  １ｘにおいてのみ、ショート・メッセージ・サービス（ＳＭＳ）をｏｖｅｒ  ＩＭＳを登録できる。別の例として、３ＧＰＰにおいて、ＭＴ局１１０は、ＳＭＳ  ｏｖｅｒ  ＩＭＳ、及び、ｖｏｉｃｅ  ｏｖｅｒ  広帯域符号分割多元接続（ＷＣＤＭＡ（登録商標））を登録可能である。このようにすれば、ＭＴ局１１０は、ＬＴＥ−ＲＡＮ１１５からレガシーＲＡＮ１２０に移行できる。以下で詳細に説明するように、ＳＭＳの機能は、音声通話を続けつつ情報をＭＯ局に送信するのに用いられるので、ＭＴ局は、ＳＭＳを登録する。
【００３２】
レガシーＲＡＮ１２０と関連づけられた後、ネットワーク選択アプリケーション２４０は、ＭＯ局１０５に送るべき切り替えメッセージ３３５を生成可能である。前述のように、このメッセージは、ＳＭＳを介して送ることができる。だが、ＭＯ局１０５とＭＴ局１１０が、局間でメッセージを送信する別の手法（例えば、専用メッセージング・システム）を備える場合、この別の種類のメッセージング・システムも、使用可能である。即ち、目的とされる機能は、ＭＴ局１１０がＭＯ局１０５に到達するメッセージを送信する機能である。この例では、切り替えメッセージ３３５は、ＭＴ局１２０からＳＭＳを介して送られ、更に、レガシーＲＡＮ１２０を介して、切り替えメッセージ３４０をＭＯ局１０５に送る。
【００３３】
ＭＯ局１０５のネットワーク選択アプリケーション２４０は、ＭＴ局１１０から切り替えメッセージ３４０を受信可能である。注意すべき点として、切り替えメッセージ３４０がＳＭＳメッセージ形式の場合、ＭＯ局１０５の利用者がメッセージを受信したことに気付かないよう、メッセージをフォーマットすることが可能である。即ち、ネットワーク選択アプリケーション２４０は、切り替えメッセージ３４０を受信して、ＭＯ局１０５の利用者からの入力を使用せずに、記載の機能を実行できる。切り替えメッセージ３４０を受信することによって、通話が確立できなかったことをＭＯ局１０５に示すことができる。例えば、ＭＴ局１１０は、セッション招待３１０を受信したものの、ＲＦに制限がある状況によって、セッション招待３１０に応答できず、ＭＴ局１１０は、レガシーＲＡＮ１２０に移行してしまう。ネットワークの視点から、レガシーＲＡＮ１２０を介したＭＯ局１０５からＭＴ局１１０までの再ページ（ｒｅ−ｐａｇｅ）が起こらないよう、切り替えメッセージ３４０を使用できることに注意すべきである。
【００３４】
ＭＯ局１０５は、ＬＴＥ−ＲＡＮ１１５に接続したままで、ＶｏＬＴＥ通話による音声通話に参加可能である一方、ＭＴ局１１０は、レガシーＲＡＮ１２０を用いて、音声通話に参加する。切り替えメッセージ３４０の受信時、ＭＴ局１１０への音声通話を透過的に再開始できるよう、ＭＯ局１０５を構成可能である。具体的には、ＭＯ局１０５は、呼をＭＴ局１１０に送るべきであることを示すセッション招待３４５をＬＴＥ−ＲＡＮ１１５へと再度送信する。だが、ＭＴ局１１０は、もはやＬＴＥ−ＲＡＮ１１５に接続しないので、ＬＴＥ−ＲＡＮ１１５、レガシーＲＡＮ１２０、セルラーコアネットワーク１２５、及び、ＩＭＳ１３０を伴う通話セットアップ手順３５０が実行されて、ＭＯ局１０５とＭＴ局１１０とを接続する。回線交換音声通話と相互運用するために、ＩＭＳ１３０はＶｏＬＴＥ通話用の機能を提供するという点に、再度注意するべきである。このセットアップ手順３５０が完了したら、音声通話３５５を実行できる。
【００３５】
図４は、通話セッションをＬＴＥネットワーク１１５から３Ｇネットワーク１２０へと移行するためのネットワーク選択を実行する第２の例示的シグナリング図４００を示す。具体的には、このシグナリング図４００は、切り替えメッセージの受信後、ＭＯ局１０５もレガシーＲＡＮ１２０へと切り替える例に関連する。シグナリング図４００は、例えば、ＭＯ局１０５が切り替えメッセージを受信するまでは、シグナリング図３００と略類似のプロセスを含み得る。特に、セッション招待３０５、３１０、セッション応答３１５、タイマー３２０のステップ、応答不能３２５、レガシーＲＡＮの選択３３０、及び、切り替えメッセージ３３５、３４０は、図３のシグナリング図３００を参照した前述の説明と略同様に実施可能である。
【００３６】
シグナリング図４００において説明するように、ＭＯ局１０５のネットワーク選択アプリケーション２４０が切り替えメッセージ３４０を受信すると、ＭＯ局１０５のネットワーク選択アプリケーション２４０は、ＭＯ局１０５もレガシーＲＡＮ１２０を選択することを決定する（４４５）。この例において、ＭＴ局１１０から切り替えメッセージ３４０を受信すると、ＭＯ局１０５は、レガシーＲＡＮ１２０へと自律的に移動する。したがって、ＭＯ局１０５も、レガシーＲＡＮ１２０の基地局と関連して、レガシーＲＡＮ１２０へと接続する。レガシーＲＡＮ１２０に接続すると、ＭＯ局１０５の通話アプリケーション２３５は、ＶｏＬＴＥ通話が利用できないことを判定し、回線交換音声通話を使用することを決定できる。通話アプリケーション２３５は、レガシーＲＡＮ１２０の通話セットアップ手順４５０を用いて、ＭＴ局１１０との音声通話を再開始することができる。ＭＯ局１０５とＭＴ局１１０はいずれも、ＬＴＥ−ＲＡＮ１２０を使用しないので、ＬＴＥ−ＲＡＮ１２０とＩＭＳ１３０は、このセットアップ手順４５０に関与しない。このセットアップ手順４５０が完了したら、音声通話４５５を実行できる。
【００３７】
レガシーＲＡＮ１２０へとやはり移動するＭＯ局１０５は、切り替えメッセージの処理の際に、とりわけ、ネットワーク視点から、より効率良い応答を提供できる。例えば、イベントを処理して、新規呼をＭＯ局１０５からＭＴ局１１０へ、ＬＴＥ−ＲＡＮ１１５からレガシーＲＡＮ１２０へと再度ルーティングする際に、ネットワーク遅延が発生する場合がある。別の例では、ＬＴＥ−ＲＡＮ１１５からＭＴ局１１０についての過去の通話コンテキストを開放する際に、ネットワーク遅延が起こることもある。
【００３８】
ＭＴ局１１０によるＶｏＬＴＥを用いた音声通話の確立の失敗に対処する上記方法を用いると、音声通話を、円滑な方法によりＭＯ局１０５とＭＴ局１１０との間で維持し、実行可能である。即ち、ＭＴ局１１０、又は、ＭＯ局１０５とＭＴ局１１０との双方のいずれかについて、通話セッションは、音声通話のセットアップ手順においてレガシーＲＡＮ１２０へ移行することができる。したがって、ＭＴ局１１０がＳＩＰ応答をＬＴＥ−ＲＡＮ１１５に送信できないことにより、この音声通話のセットアップ手順ではうまくいかない場合、ネットワーク選択アプリケーション２４０は、ＭＴ局１１０が音声通話に参加するためにＶｏＬＴＥを使用できなくても、音声通話を実行可能とする機構を提供できる。
【００３９】
図５は、ＭＴ局１１０によって音声通話を実行するための第１の例示的方法５００を示す。即ち、この方法５００は、ＭＴ局１１０とＭＯ局１０５がネットワーク選択アプリケーション２４０と通話アプリケーション２３５について上記で述べた機能を実行する際の、ＭＴ局１１０の視点に立っている。方法５００が開始する前、ＭＴ局１１０はＬＴＥ−ＲＡＮ１１５に接続しているものと想定される。図１のネットワーク構成１００、図２の局２００、並びに、図３と図４のシグナリング図３００、４００とそれぞれ関連して、方法５００について述べる。
【００４０】
ステップ５０５において、ＭＴ局１０５の通話アプリケーション２３５は、ＬＴＥ−ＲＡＮ１１５のダウンリンクを介して、セッション招待３１０を受信する。ステップ５１０において、ＭＴ局１０５のネットワーク選択アプリケーション２４０は、ＭＴ局１０５がセッション招待に応答できるかどうかを判定する。例えば、ネットワーク選択アプリケーション２４０は、利用可能なアップリンク送信電力等のネットワーク・パラメータに関する情報を受信できる。
【００４１】
ネットワーク選択アプリケーション２４０によって、ＭＴ局１１０がセッション招待３１０に応答不能であることを即時に判定したら、方法５００は、ステップ５４０に進む。このステップについて、以下でより詳細に説明する。だが、ネットワーク選択アプリケーション２４０によって、ＭＴ局１１０が、ＬＴＥ−ＲＡＮ１１５を使用できるか、又は別の方法で応答を送信できると判定したら、方法５００は、ステップ５１５に進む。
【００４２】
ステップ５１５において、ＭＴ局１１０のネットワーク選択アプリケーション２４０は、プリセット・タイマー３２０を起動する。ステップ５２０において、通話アプリケーション２３５は、ＬＴＥ−ＲＡＮ１１５のアップリンクを介して、セッション応答３１５を送信する。通話アプリケーション２３５は、送信に成功するまで、又は、タイマーの持続時間が終了するまで、セッション応答を送信できる。ステップ５２５では、ＭＴ局１１０のネットワーク選択アプリケーション２４０は、セッション応答３１５をＭＯ局１０５にうまく送信できたかどうかを判定する。送信に成功したら、方法５００は、ステップ５３０に続く。ステップ５３０で、ＭＴ局１１０は、ＭＯ局１０５との音声通話を実行する。具体的には、ＭＴ局１１０は、ＶｏＬＴＥを用いてＭＯ局との音声通話を実行する。
【００４３】
ステップ５２５に戻って、セッション応答を送信する試行に失敗したと判定された場合、方法５００は、ステップ５３５に続く。ステップ５３５で、ＭＴ局１１０のネットワーク選択アプリケーション２４０は、タイマー３２０が終了したかどうか判定する。タイマー３２０が、まだ実行中であれば、方法５００は、ステップ５２０に戻る。だが、タイマー３２０が終了していた場合、ネットワーク選択アプリケーション２４０は、ＶｏＬＴＥ通話のためにＬＴＥ−ＲＡＮ１１５を使用できないと判定できる。それ故、方法５００は、ステップ５４０に続く。
【００４４】
ステップ５４０で、ＭＴ局１１０のネットワーク選択アプリケーション２４０は、レガシーＲＡＮ１２０を選択する。前述のように、これには、ＳＭＳ  ｏｖｅｒ  ＩＭＳ１３０の登録、並びに、３ＧＰＰ２におけるｖｏｉｃｅ  ｏｎ  １ｘ  、あるいは、３ＧＰＰにおけるｖｏｉｃｅ  ｏｎ  ＷＣＤＭＡの登録を伴うことがある。したがって、ＭＴ局１１０は、それからレガシーＲＡＮ１２０へと接続する。ステップ５４５で、ＭＴ局１１０のネットワーク選択アプリケーション２４０は、例えば、ＳＭＳを介して、切り替えメッセージ３３５を送信する。ステップ５５０で、ＭＴ局１１０の通話アプリケーション２３５は、レガシーＲＡＮ１２０を用いて音声通話用の通話セットアップ手順を実行するために再送信された情報を受信する。
【００４５】
ステップ５４０〜５５０の実行後、方法５００は、ステップ５３０に進み、そこで、ＭＴ局１１０がレガシーＲＡＮを用いて、音声通話が実行される。レガシーＲＡＮ１２０が使用されているので、ＭＴ局１１０の通話アプリケーション２３５によって、音声通話は回線交換音声通話として実行される。
【００４６】
図６は、ＭＯ局１１０によって音声通話を実行するための第２の例示的方法６００を示す。即ち、方法６００は、ＭＯ局１０５とＭＴ局１１０がネットワーク選択アプリケーション２４０と通話アプリケーション２３５について上記で述べた機能を実行する際の、ＭＯ局１０５の視点に立っている。方法６００が開始する前、ＭＯ局１０５はＬＴＥ−ＲＡＮ１１５に接続しているものと想定される。図１のネットワーク構成、図２の局２００、並びに、図３と図４のシグナリング図３００、４００とそれぞれ関連して、方法５００について述べる。
【００４７】
ステップ６０５において、ＭＯ局１０５の通話アプリケーション２３５は、ＬＴＥ−ＲＡＮ１１５のアップリンクを介して、セッション招待３０５を送信する。ＬＴＥ−ＲＡＮ１１５を用いると、セッション招待３０５は、ＳＩＰ招待が可能である。ステップ６１０で、ＭＯ局１０５の通話アプリケーション２３５は、セッション応答（例えば、ＳＩＰ応答）を受信したかどうかを判定する。方法５００で上記に述べたように、このことは、ＭＴ局１１０が、ＬＴＥ−ＲＡＮ１１５のアップリンクを用いてセッション応答３１５をうまく送信できた場合に相当する。通話アプリケーション２３５が、セッション応答を受信したら、方法６００は、ステップ６１５に続く。ステップ６１５で、音声通話を実行する。具体的に言えば、これらの状況を考慮に入れると、ＭＯ局１０５の通話アプリケーション２３５は、ＬＴＥ−ＲＡＮ１１５を介したＶｏＬＴＥ通話として音声通話を実行する。
【００４８】
ステップ６１０に戻ると、セッション応答が受信されていなければ、方法６００は、ステップ６２０に続く。ステップ６２０で、ＭＯ局１０５のネットワーク選択アプリケーション２４０は、切り替えメッセージ３４０が、例えば、ＳＭＳを介して、ＭＴ局１１０から受信されたかどうかを判定する。切り替えメッセージ３４０が受信されていなければ、方法６００は、ステップ６１０に戻る。このプロセスは、セッション応答３１５、若しくは、切り替えメッセージ３４０のいずれかが受信されるまで、又は、これらのいずれもが受信されずにタイムアウト期間が終了し通話が切断されるまで、継続され得るという点に注意するべきである。
【００４９】
ステップ６２０において、切り替えメッセージ３４０を受信すると、方法６００は、ステップ６２５に続く。ステップ６２５で、ＭＯ局１０５のネットワーク選択アプリケーション２４０は、ＭＯ局１０５によってレガシーＲＡＮ１２０も使用するべきかを判定する。注意すべき点として、レガシーＲＡＮ１２０の使用に関する判定は、事前に決められていても良い。第１例として、レガシーＲＡＮ１２０の選択は、トグル式のユーザ入力でも良い。第２例では、レガシーＲＡＮ１２０の選択は、管理者によって設定可能である。第３例では、ネットワーク選択アプリケーション２４０によって、レガシーＲＡＮ１２０を使用すべき時を動的に決められる。
【００５０】
レガシーＲＡＮ１２０が使われずに、ＬＴＥネットワーク１１５に接続したままとする場合、方法６００は、ステップ６３０に続く。方法６００のこの分岐処理は、シグナリング図３００において述べたプロセスを参照し、この場合、ＭＯ局は、レガシーＲＡＮ１２０に切り替えない。ステップ６３０で、ＭＯ局１０５の通話アプリケーション２３５は、ＬＴＥ−ＲＡＮ１１５のアップリンクを介して、セッション招待３４５を再送信することで、音声通話を、透過的に再開始する。その後、方法６００は、ステップ６４０に続き、このステップについて、以下で詳細に述べる。
【００５１】
ステップ６２５に戻ると、レガシーＲＡＮ１２０が、ＭＯ局１０５によって使用される場合、方法６００は、ステップ６３５に続く。ステップ６３５で、ＭＯ局１０５のネットワーク選択アプリケーション２３５は、レガシーＲＡＮ１２０を選択して、レガシーＲＡＮ１２０に接続するための対応する操作を実行する。方法６００のこの枝は、シグナリング図４００で述べたプロセスを参照し、この場合、ＭＯ局１０５は、音声通話を実行するために、レガシーＲＡＮ１２０へと切り替える。
【００５２】
ステップ６４０で、ＭＯ局１０５の通話アプリケーション２３５は、ＭＯ局１０５への現在の接続に応じて、ＬＴＥ−ＲＡＮ１１５、又は、レガシーＲＡＮ１２０のいずれか用の通話セットアップ手順を実行する。前述のように、この通話セットアップ手順は、ＭＯ局１０５がＭＴ局１１０への音声通話を透過的に再開始することを含む。ステップ６４５で、ＭＯ局１０５の通話アプリケーション２３５は、ＭＴ局１１０からセッション応答を受信する。そして、方法６００は、ステップ６１５に続き、そこで、音声通話を実行する。
【００５３】
注意すべき点として、ステップ６３０を使用して、ＬＴＥ−ＲＡＮに接続したままである場合、ＭＯ局１０５は、ＶｏＬＴＥ通話を用いて音声通話に参加可能であり、一方、ＭＴ局１１０は、回線交換音声通話を使って音声通話に参加する。更に、ステップ６３５を使用し、レガシーＲＡＮへの接続を使用する場合、ＭＯ局１０５は、ＭＴ局１１０と類似の回線交換音声通話を用いて、音声通話に参加できる。
【００５４】
例示的実施形態は、音声通話を実行可能とするネットワークを選択することで、通話セッションを移行するシステム、及び、方法を提供する。具体的には、ＭＯ局は、ＭＯ局とＭＴ局が共にＬＴＥ−ＲＡＮに接続する音声通話にＭＴ局を招待できる。したがって、ＭＯ局とＭＴ局は共に、ＶｏＬＴＥ通話を用いて、音声通話に参加できる。種々の理由により、ＭＴ局は、招待に応答できないことがある。ＶｏＬＴＥ通話を使用すべきであるが、この応答不能により、通常、音声通話は、確立できない。だが、ＭＴ局のネットワーク選択アプリケーションは、音声通話用のレガシーＲＡＮを選択する機能を提供できる。音声通話が失敗していないことを暗黙的に示して、その再開始を要求する切り替えメッセージをＭＯ局に提供することで、音声通話を透過的に確立できる。
【００５５】
当業者であれば、上記の例示的実施形態が、任意の好適なソフトウェア、若しくは、ハードウェアの構成、又は、これらの組み合わせとして実装できることを理解するであろう。例示的実施形態を実現するための例示的なハードウェア・プラットフォームには、例えば、互換性のあるオペレーティング・システムを備えたＩｎｔｅｌｘ８６（登録商標）系プラットフォーム、Ｍａｃ（登録商標）プラットフォーム及びＭＡＣ  ＯＳ（登録商標）、並びに、ｉＯＳ（登録商標）、Ａｎｄｒｏｉｄ（登録商標）、若しくは、他のオペレーティング・システムを実行するモバイル装置が含められる。更なる例として、上記方法の例示的実施形態は、コンパイル時に、プロセッサ、又は、マイクロプロセッサ上で実行可能な非一時的コンピュータ可読記憶媒体上に記憶されたコードラインを含むプログラムとして、具現化できる。
【００５６】
本発明では、発明の趣旨、又は、範囲から逸脱することなく様々な変更が可能であることは、当業者にとって明らかであろう。したがって、本発明は、添付の特許請求の範囲、及び、その同等物の範囲に収まるという条件において、本発明の修正、及び、変更を網羅することを意図している。
【図１】
2015228649.tif 000002
【図２】
2015228649.tif 000003
【図３】
2015228649.tif 000004
【図４】
2015228649.tif 000005
【図５】
2015228649.tif 000006
【図６】
2015228649.tif 000007
【外国語明細書】
2015228649000001.pdf